(57)【要約】【課題】補助照明装置を追加設置して運用する場合であっても、設置作業員等の設置時の負担を軽減すると共に無用な電力消費を無くすことができるようにする。【解決手段】画像読取装置は、撮像対象物を撮像して画像を得る撮像部と、撮像対象物を照明するための複数の光源を有する照明部と、撮像対象物とされ得る読取対象媒体のサイズ毎に、照明パターン及び撮像パラメータに関する情報を含む設定情報を、記憶する記憶部と、撮像対象物とされた読取対象媒体のサイズを検出する検出部と、記憶部に記憶されているサイズ毎の設定情報の中から、検出部により検出されたサイズに対応する設定情報を選択する選択部とを備え、選択部により選択された設定情報に応じた照明パターンに従って照明部が複数の光源の各々を点灯又は消灯し、当該設定情報に応じた撮像パラメータの下で撮像部が撮像対象物とされた読取対象媒体を撮像して得た画像を読取画像として取得する。【選択図】図１
2015115934.tif 000002
【特許請求の範囲】
【請求項１】
撮像対象物を撮像して画像を得る撮像部と、
前記撮像対象物を照明するための複数の光源を有する照明部と、
前記撮像対象物とされ得る読取対象媒体のサイズ毎に、照明パターン及び撮像パラメータに関する情報を含む設定情報を、記憶する記憶部と、
前記撮像対象物とされた読取対象媒体のサイズを検出する検出部と、
前記記憶部に記憶されている前記サイズ毎の設定情報の中から、前記検出部により検出されたサイズに対応する設定情報を選択する選択部と、
を備え、
前記選択部により選択された設定情報に応じた照明パターンに従って前記照明部が前記複数の光源の各々を点灯又は消灯し、当該設定情報に応じた撮像パラメータの下で前記撮像部が前記撮像対象物とされた読取対象媒体を撮像して得た画像を読取画像として取得する、
ことを特徴とする画像読取装置。
【請求項２】
前記照明パターンは、前記複数の光源が消灯しているときに前記撮像対象物とされたキャリブレーション用媒体を前記撮像部が撮像して得た画像が所定条件を満たしたときの当該画像に基づいて決定された第１の照明パターンと、当該サイズに応じて予め決定されている第２の照明パターンと、に基づいて決定された第３の照明パターンであり、
前記撮像パラメータは、前記第３の照明パターンに従って前記照明部が前記複数の光源の各々を点灯又は消灯しているときに前記撮像対象物とされたキャリブレーション用媒体を前記撮像部が撮像して得た画像が所定条件を満たしたときの撮像パラメータである、
ことを特徴とする請求項１記載の画像読取装置。
【請求項３】
前記所定条件は、画像の最大階調値が所定値になるという条件である、
ことを特徴とする請求項２記載の画像読取装置。
【請求項４】
前記第１の照明パターンは、前記所定条件を満たしたときの画像が前記複数の光源に対応して複数の画像領域に分割されたときの各画像領域の平均階調値に基づいて決定される、
ことを特徴とする請求項２又は３記載の画像読取装置。
【請求項５】
前記第１の照明パターンは、画像領域の平均階調値が所定値以上であるか否か、平均階調値が最大となる画像領域の階調値が所定値以上であるか否か、画像領域の平均階調値に対する、平均階調値が最大となる画像領域の階調値の比率が所定値以上であるか否か、の一つ以上を判定した結果に基づいて決定される、
ことを特徴とする請求項４記載の画像読取装置。
【請求項６】
前記第２の照明パターンは、前記複数の光源における、当該サイズの読取対象媒体を照明するのに最小限必要な光源に応じて決定される、
ことを特徴とする請求項２乃至５の何れか一項に記載の画像読取装置。
【請求項７】
前記検出部は、前記複数の光源が消灯しているときに前記撮像部が前記撮像対象物とされた読取対象媒体を撮像して得た画像の輝度分布に基づいて、前記読取対象媒体のサイズを検出する、
ことを特徴とする請求項１乃至６の何れか一項に記載の画像読取装置。
【請求項８】
前記検出部によるサイズの検出ができなかった場合、又は、前記検出部によるサイズの検出が不適切であった場合、前記選択部は、前記記憶部に記憶されている前記サイズ毎の設定情報の中から、最大のサイズに対応する設定情報を選択する、
ことを特徴とする請求項１乃至７の何れか一項に記載の画像読取装置。
【請求項９】
前記撮像パラメータは、露出時間又はゲインアンプ値である、
ことを特徴とする請求項１乃至８の何れか一項に記載の画像読取装置。
【請求項１０】
撮像対象物を撮像して画像を得る撮像部と、前記撮像対象物を照明するための複数の光源を有する照明部と、を備える画像読取装置の画像読取方法であって、
前記画像読取装置設置時において、
前記複数の光源を消灯し、
異なる撮像パラメータの下で前記撮像部が前記撮像対象物とされたキャリブレーション用媒体の撮像を繰り返して前記撮像部により得られる画像が所定条件を満たしたときの当該画像に基づいて第１の照明パターンを決定し、
前記撮像対象物とされ得る読取対象媒体のサイズ毎に、
前記第１の照明パターンと、当該サイズに応じて予め決定されている第２の照明パターンと、に基づいて第３の照明パターンを決定し、
前記第３の照明パターンに従って前記複数の光源の各々を点灯又は消灯し、
異なる撮像パラメータの下で前記撮像部が前記撮像対象物とされたキャリブレーション用媒体の撮像を繰り返して前記撮像部により得られる画像が所定条件を満たしたときの撮像パラメータを取得し、
前記決定された第３の照明パターン及び前記取得された撮像パラメータに関する情報を含む設定情報を記憶部に記憶し、
という処理を繰り返し、
前記画像読取装置運用時において、
前記複数の光源を消灯しているときに、前記撮像対象物とされた読取対象媒体のサイズを検出し、
前記記憶部に記憶されている前記サイズ毎の設定情報の中から、前記検出されたサイズに対応する設定情報を選択し、
前記選択された設定情報に応じた照明パターンに従って前記照明部が前記複数の光源の各々を点灯又は消灯し、当該設定情報に応じた撮像パラメータの下で前記撮像部が前記撮像対象物とされた読取対象媒体を撮像して得た画像を読取画像として取得する、
処理をコンピュータが実行することを特徴とする画像読取方法。
【請求項１１】
撮像対象物を撮像して画像を得る撮像部と、前記撮像対象物を照明するための複数の光源を有する照明部と、を備える画像読取装置の処理プログラムを記録したコンピュータ読取可能な記録媒体であって、
前記画像読取装置設置時において、
前記複数の光源を消灯し、
異なる撮像パラメータの下で前記撮像部が前記撮像対象物とされたキャリブレーション用媒体の撮像を繰り返して前記撮像部により得られる画像が所定条件を満たしたときの当該画像に基づいて第１の照明パターンを決定し、
前記撮像対象物とされ得る読取対象媒体のサイズ毎に、
前記第１の照明パターンと、当該サイズに応じて予め決定されている第２の照明パターンと、に基づいて第３の照明パターンを決定し、
前記第３の照明パターンに従って前記複数の光源の各々を点灯又は消灯し、
異なる撮像パラメータの下で前記撮像部が前記撮像対象物とされたキャリブレーション用媒体の撮像を繰り返して前記撮像部により得られる画像が所定条件を満たしたときの撮像パラメータを取得し、
前記決定された第３の照明パターン及び前記取得された撮像パラメータに関する情報を含む設定情報を記憶部に記憶し、
という処理を繰り返し、
前記画像読取装置運用時において、
前記複数の光源を消灯しているときに、前記撮像対象物とされた読取対象媒体のサイズを検出し、
前記記憶部に記憶されている前記サイズ毎の設定情報の中から、前記検出されたサイズに対応する設定情報を選択し、
前記選択された設定情報に応じた照明パターンに従って前記照明部が前記複数の光源の各々を点灯又は消灯し、当該設定情報に応じた撮像パラメータの下で前記撮像部が前記撮像対象物とされた読取対象媒体を撮像して得た画像を読取画像として取得する、
処理をコンピュータに実行させる処理プログラムを記録したことを特徴とするコンピュータ読取可能な記録媒体。
【発明の詳細な説明】
【技術分野】
【０００１】
本発明は、スタンド型イメージスキャナ装置（スタンド型イメージリーダ装置）等の画像読取装置に関する。
【背景技術】
【０００２】
従来、金融機関等では、スタンド型イメージスキャナ装置（以下「スタンドスキャナ」という）が使用されている。スタンドスキャナは、税公金帳票（税金、公共料金等の納付書）や、オートフィーダ型イメージリーダ装置等では取り扱うことができない媒体等を読み取ることに適した非接触型の画像読取装置である。金融機関等では、このスタンドスキャナを用いて読取対象媒体を電子データ化（イメージデータ化）した後、ＯＣＲ（Optical Character Recognition）処理による文字認識や印影イメージの重ね合わせによる印鑑照合処理等が行われている。ここで、ＯＣＲ処理や印鑑照合処理の精度を向上させるためには、スタンドスキャナの設置場所の照明環境（以下「設置環境」ともいう）に係らず、一定の明るさで読み取りが行われることや、読み取られる画像に影やノイズ等の不要な情報が極力含まれないようにすること等が重要である。
【０００３】
一般に、スタンドスキャナは、例えば、図１０に示したように、撮像部４０１と、台座４０２と、スタンド４０３と、図示しない制御部を含み、撮像部４０１が、台座４０２に対して一定の距離を置いてスタンド４０３により支持された構成を有する。そのため、撮像部４０１は、台座４０２に載置された読取対象媒体から離れた状態で撮像を行うことになることから、読取対象媒体が例えば厚みのある帳票等であっても撮像を行うことができる。
【０００４】
また、スタンドスキャナは、自身が光源を持たないことから、周囲の光（天井の蛍光灯の光等）が読取対象媒体の表面で反射された光を撮像部４０１のイメージセンサで受光して撮像を行う。そのため、周囲の光や影の影響により、台座４０２に載置される読取対象媒体の表面の明るさが均一にならない場合がある。そこで、このような場合を考慮して、スタンドスキャナは、その設置時や任意の調整時に行う基準調整（「キャリブレーション」ともいう）により取得した初期状態情報（「キャリブレーション情報」ともいう）を基に、撮像部４０１の撮像パラメータ（露出時間及び又はゲインアンプ値等）による感度調整（明るさ調整）並びに影を除去する画像補正を行うことによって、設置環境の違いによる、読み取られる画像の差異が生じないようにしている。例えば、図１１に示したように、設置環境が明るい場合であっても暗い場合であっても、同じような明るさの画像が読み取られるようにしている。なお、スタンドスキャナは、上述の初期状態情報を、例えば、次のようにして取得する。スタンドスキャナは、図１２に示したように、まず、撮像部４０１が基準媒体（「キャリブレーション用媒体」ともいう）を撮像して得た画像５０１を基に適切な撮像パラメータを決定する。次に、その撮像パラメータの下に撮像部４０１が基準媒体を撮像して得た画像５０２に対して、影を除去する画像補正を行い、画像５０３を得る。そして、このときの、適切な撮像パラメータと画像補正時の補正量とを含む情報を、初期状態情報として取得する。
【０００５】
しかしながら、このような方法による感度調整及び画像補正には限界がある。例えば、設置環境が極端に暗い場合や台座４０２上に極端に強い影が存在する場合には、適切な初期状態情報を取得することができないために感度調整及び画像補正を適切に行うことができない虞がある。そこで、このような場合には、補助照明装置（スタンド蛍光灯等）を追加設置することによって光量を補うと共に台座４０２上に影が生じないようにしている。この場合の動作は、例えば、図１３に示したようになる。この動作例では、まず、スタンドスキャナ設置時（以下単に「設置時」という）において、設置作業員やオペレータ等（以下「設置作業員等」という）が、補助照明装置を点灯させ（Ｓ２０１）、台座面（撮影面）全体が均一な明るさになるように（均一に照明され且つ影が生じないように）補助照明装置の位置や向きを調整する（Ｓ２０２）。その後は、従来方式と同様の手法により初期状態情報の取得を行い、それを設定ファイルとして記憶する（Ｓ２０３）。そして、スタンドスキャナ運用時（以下単に「運用時」という）の読取時には、補助照明装置を点灯状態にして、記憶されている設定ファイルに基づいて画像の読み取りを行う（Ｓ２０４）。
【０００６】
なお、スタンドスキャナとして、その他、例えば、照度を計測する専用の計測器を必要とすることなく、自動的に、設置場所の照明環境が適切か否かを判定することができるようにしたスタンド型イメージスキャナも知られている（特許文献１等参照）。
【先行技術文献】
【特許文献】
【０００７】
【特許文献１】特開２０１２−２３１３３８号公報
【発明の概要】
【発明が解決しようとする課題】
【０００８】
上述のように補助照明装置を追加設置する場合には、次のような問題がある。
まず、補助照明装置の点灯／消灯や、補助照明装置の位置や向きは、上述のとおり、設置作業員等の判断の下に行われていることから、設置作業員等の負担が大きいという問題がある。また、設置作業員等の作業ミスにより、補助照明装置が点灯状態にされるべきところを消灯状態のままにされていたり、補助照明装置が適切な位置や向きで設置されていなかったりする場合があるという問題もある。
【０００９】
また、補助照明装置による照明は、あらゆるサイズの読取対象媒体に対して一律に行われることから、例えば、読取対象媒体のサイズが小さい場合には、台座４０２上であって読取対象媒体以外の範囲にも照明が行われることとなり、無用な電力消費を招いているという問題もある。
【００１０】
本発明は、上記実情に鑑み、補助照明装置を追加設置して運用する場合であっても、設置作業員等の設置時の負担を軽減すると共に無用な電力消費を無くすことができる、画像読取装置、その読取方法、及び記録媒体を提供することを目的とする。
【課題を解決するための手段】
【００１１】
装置の一観点によれば、画像読取装置であって、撮像対象物を撮像して画像を得る撮像部と、前記撮像対象物を照明するための複数の光源を有する照明部と、前記撮像対象物とされ得る読取対象媒体のサイズ毎に、照明パターン及び撮像パラメータに関する情報を含む設定情報を、記憶する記憶部と、前記撮像対象物とされた読取対象媒体のサイズを検出する検出部と、前記記憶部に記憶されている前記サイズ毎の設定情報の中から、前記検出部により検出されたサイズに対応する設定情報を選択する選択部と、を備え、前記選択部により選択された設定情報に応じた照明パターンに従って前記照明部が前記複数の光源の各々を点灯又は消灯し、当該設定情報に応じた撮像パラメータの下で前記撮像部が前記撮像対象物とされた読取対象媒体を撮像して得た画像を読取画像として取得する。
【００１２】
方法の一観点によれば、撮像対象物を撮像して画像を得る撮像部と、前記撮像対象物を照明するための複数の光源を有する照明部と、を備える画像読取装置の画像読取方法であって、前記画像読取装置設置時において、前記複数の光源を消灯し、異なる撮像パラメータの下で前記撮像部が前記撮像対象物とされたキャリブレーション用媒体の撮像を繰り返して前記撮像部により得られる画像が所定条件を満たしたときの当該画像に基づいて第１の照明パターンを決定し、前記撮像対象物とされ得る読取対象媒体のサイズ毎に、前記第１の照明パターンと、当該サイズに応じて予め決定されている第２の照明パターンと、に基づいて第３の照明パターンを決定し、前記第３の照明パターンに従って前記複数の光源の各々を点灯又は消灯し、異なる撮像パラメータの下で前記撮像部が前記撮像対象物とされたキャリブレーション用媒体の撮像を繰り返して前記撮像部により得られる画像が所定条件を満たしたときの撮像パラメータを取得し、前記決定された第３の照明パターン及び前記取得された撮像パラメータに関する情報を含む設定情報を記憶部に記憶し、という処理を繰り返し、前記画像読取装置運用時において、前記複数の光源を消灯しているときに、前記撮像対象物とされた読取対象媒体のサイズを検出し、前記記憶部に記憶されている前記サイズ毎の設定情報の中から、前記検出されたサイズに対応する設定情報を選択し、前記選択された設定情報に応じた照明パターンに従って前記照明部が前記複数の光源の各々を点灯又は消灯し、当該設定情報に応じた撮像パラメータの下で前記撮像部が前記撮像対象物とされた読取対象媒体を撮像して得た画像を読取画像として取得する、処理をコンピュータが実行する。
【００１３】
記録媒体の一観点によれば、撮像対象物を撮像して画像を得る撮像部と、前記撮像対象物を照明するための複数の光源を有する照明部と、を備える画像読取装置の処理プログラムを記録したコンピュータ読取可能な記録媒体であって、前記画像読取装置設置時において、前記複数の光源を消灯し、異なる撮像パラメータの下で前記撮像部が前記撮像対象物とされたキャリブレーション用媒体の撮像を繰り返して前記撮像部により得られる画像が所定条件を満たしたときの当該画像に基づいて第１の照明パターンを決定し、前記撮像対象物とされ得る読取対象媒体のサイズ毎に、前記第１の照明パターンと、当該サイズに応じて予め決定されている第２の照明パターンと、に基づいて第３の照明パターンを決定し、前記第３の照明パターンに従って前記複数の光源の各々を点灯又は消灯し、異なる撮像パラメータの下で前記撮像部が前記撮像対象物とされたキャリブレーション用媒体の撮像を繰り返して前記撮像部により得られる画像が所定条件を満たしたときの撮像パラメータを取得し、前記決定された第３の照明パターン及び前記取得された撮像パラメータに関する情報を含む設定情報を記憶部に記憶し、という処理を繰り返し、前記画像読取装置運用時において、前記複数の光源を消灯しているときに、前記撮像対象物とされた読取対象媒体のサイズを検出し、前記記憶部に記憶されている前記サイズ毎の設定情報の中から、前記検出されたサイズに対応する設定情報を選択し、前記選択された設定情報に応じた照明パターンに従って前記照明部が前記複数の光源の各々を点灯又は消灯し、当該設定情報に応じた撮像パラメータの下で前記撮像部が前記撮像対象物とされた読取対象媒体を撮像して得た画像を読取画像として取得する、処理をコンピュータに実行させる処理プログラムを記録した記録媒体である。
【発明の効果】
【００１４】
開示の装置、方法、及び媒体は、補助照明装置を追加設置して運用する場合であっても、設置作業員等の設置時の負担を軽減すると共に無用な電力消費を無くすことができる、という効果を奏する。
【図面の簡単な説明】
【００１５】
【図１】一実施の形態に係る画像読取装置の構成例を示す図である。
【図２】補助照明部が有する複数の光源の一例を示す図である。
【図３】一実施の形態に係る画像読取装置の動作例を示すフローチャートである。
【図４】第１の照明パターンの決定方法の一例を説明する第１の図である。
【図５】第１の照明パターンの決定方法の一例を説明する第２の図である。
【図６】第２の照明パターンの一例を説明する図である。
【図７】第３の照明パターンの決定方法の一例を説明する図である。
【図８】設定ファイルの一例を示す図である。
【図９】制御部のハードウェア構成例を示す図である。
【図１０】スタンドスキャナの外観構成例を示す図である。
【図１１】設置環境の明暗に係らず同じような明るさの画像が得られる例を説明する図である。
【図１２】従来の初期状態情報の取得方法を説明する図である。
【図１３】従来の動作の一例を示す図である。
【発明を実施するための形態】
【００１６】
以下、図面を参照しながら本発明の実施の形態を説明する。
図１は、本発明の一実施の形態に係る画像読取装置の構成例を示す図である。なお、本実施形態に係る画像読取装置は、例えば、金融機関等で使用されるスタンドスキャナである。
【００１７】
図１に示したように、本実施形態に係る画像読取装置１００は、イメージリーダ１１０、補助照明部１２０、制御部１３０を含む。
【００１８】
イメージリーダ１１０は、外観構成として、例えば、図１０に示した撮像部４０１、台座４０２、及びスタンド４０３を有し、内部構成として、画像取得部１１１、撮像パラメータ調整部１１２を含む。画像取得部１１１は、例えば、ＣＣＤ（Charge-Coupled Device）イメージセンサやＣＭＯＳ（Complementary Metal Oxide Semiconductor）イメージセンサ等を含み、台座４０２に載置される撮像対象物（例えば税公金帳票等）を、撮像パラメータ調整部１１２により設定される撮像パラメータ（露出時間及び又はゲインアンプ値等）の下で撮像して画像データを取得し、それを制御部１３０へ送信する。撮像パラメータ調整部１１２は、制御部１３０により送信される指示信号に応じて、対応する撮像パラメータを画像取得部１１１に設定する。
【００１９】
補助照明部１２０は、台座４０２に載置される撮像対象媒体を照明するための複数の光源を有し、制御部１３０により送信される指示信号に応じて、その複数の光源の各々を点灯又は消灯する。例えば、補助照明部１２０は、図２に示すように、３×３のマトリクス状に配置された９個の光源を有する。
【００２０】
制御部１３０は、画像読取装置１００の全体動作を制御するものであって、画像処理部１３１、設定選択部１３２、記憶部１３３、補助照明調整部１３４を含む。画像処理部１３１は、イメージリーダ１１０により送信される画像データに対して各種の画像処理（影補正処理を含む）を行う。また、画像処理部１３１は、イメージリーダ１１０により送信される画像データを基に、撮像対象物とされた読取対象媒体のサイズを検出し、その検出結果を設定選択部１３２へ送信する処理等も行う。設定選択部１３２は、記憶部１３３に記憶されている、撮像対象物とされ得る読取対象媒体のサイズ毎の設定ファイル（設定情報）の中から、画像処理部１３１により送信される検出結果に係るサイズに対応する設定ファイルを選択する。記憶部１３３は、撮像対象物とされ得る読取対象媒体のサイズ毎の照明パターン（後述の第２の照明パターン）に関する情報や、撮像対象物とされ得る読取対象媒体のサイズ毎の設定ファイル等を記憶する。ここで、サイズ毎の照明パターンは、詳しくは後述するように、当該サイズに応じて予め決定されている照明パターンであり、それは、補助照明部１２０の複数の光源における、当該サイズの読取対象媒体を照明するのに最小限必要な光源に応じて決定されたものである。また、サイズ毎の設定ファイルは、詳しくは後述するように、画像読取装置１００の設置時（以下単に「設置時」という）の動作により記憶部１３３に記憶されるものであり、照明パターン（後述の第３の照明パターン）及び撮像パラメータに関する情報や影補正情報を含む。補助照明調整部１３４は、補助照明部１２０が有する複数の光源の各々を点灯又は消灯させるための指示信号を、補助照明部１２０へ送信する。
【００２１】
なお、このような構成の画像読取装置１００において、画像取得部１１１は、撮像対象物を撮像して画像を得る撮像部の一例でもある。補助照明部１２０は、撮像対象物を照明するための複数の光源を有する照明部の一例でもある。記憶部１３３は、撮像対象物とされ得る読取対象媒体のサイズ毎に、照明パターン及び撮像パラメータに関する情報を含む設定情報を、記憶する記憶部の一例でもある。画像処理部１３１は、撮像対象物とされた読取対象媒体のサイズを検出する検出部の一例でもある。設定選択部１３２は、記憶部に記憶されているサイズ毎の設定情報の中から、検出部により検出されたサイズに対応する設定情報を選択する選択部の一例でもある。
【００２２】
図３は、本実施形態に係る画像読取装置１００の動作例を示すフローチャートである。
図３に示したように、本動作例では、設置時において、制御部１３０は、次のような設置時の動作（Ｓ１０１乃至Ｓ１０７）を行う。
【００２３】
まず、制御部１３０の制御の下に、補助照明部１２０の複数の光源の全てが消灯する（Ｓ１０１）。
【００２４】
続いて、制御部１３０は、画像取得部１１１による被撮像面となる台座面（撮影面）の影の強度分布を測定し、その台座面全体が均一な明るさとなる補助照明部１２０の必要光源箇所を推定するための処理を行う（Ｓ１０２、Ｓ１０３）。より詳しくは、まず、制御部１３０の制御の下に、異なる撮像パラメータの下で画像取得部１１１が撮像対象物とされた基準媒体の撮像を繰り返す。なお、基準媒体は、例えば、単色で台座面と同じサイズを有する媒体である。そして、制御部１３０は、画像取得部１１１が基準媒体の撮像を繰り返す間にイメージリーダ１１０から送信される画像データに係る画像が所定条件を満たしたときの当該画像を基に第１の照明パターンを決定する。ここで、所定条件は、例えば、画像の最大階調値（画像内の画素の最大階調値等）が所定値又は略所定値になるという条件である。ここで、所定値は、表現可能な画像の階調範囲を考慮して決定される値であり、仮に、表現可能な画像の階調範囲を０〜２５５とすると、例えば２００である。その装置における撮像パラメータの内で、ノイズを許容できる限度の、最も高い階調をとれる撮像パラメータで撮影しても最大階調値が所定値に達しない場合には、その最も高い階調をとれる撮像パラメータで撮影した画像を基に第１の照明パターンを決定する。なお、第１の照明パターンの決定方法の詳細については、図４及び図５を用いて後述する。
【００２５】
続いて、制御部１３０は、撮像対象物とされ得る読取対象媒体のサイズ毎に、Ｓ１０４及びＳ１０５の処理を繰り返す。
【００２６】
まず、制御部１３０は、処理対象とするサイズに対し、最小限必要な補助照明部１２０の光源箇所を推定するための処理を行う（Ｓ１０４）。より詳しくは、制御部１３０は、上記の第１の照明パターンと、記憶部１３３に記憶されている当該サイズに応じて予め決定されている第２の照明パターンに関する情報とに基づいて、第３の照明パターンを決定する。なお、第２の照明パターンの詳細については、図６を用いて後述する。また、第３の照明パターンの決定方法の詳細については、図７を用いて後述する。
【００２７】
続いて、制御部１３０は、初期状態を設定ファイルとして記憶部１３３に記憶するための処理を行う（Ｓ１０５）。より詳しくは、まず、制御部１３０の制御の下に、Ｓ１０４で決定された第３の照明パターンに従って補助照明部１２０の複数の光源の各々が点灯又は消灯する。続いて、制御部１３０の制御の下に、異なる撮像パラメータの下で画像取得部１１１が撮像対象物とされた基準媒体の撮像を繰り返す。そして、制御部１３０は、その間にイメージリーダ１１０から送信される画像データに係る画像が所定条件を満たしたときの撮像パラメータを取得する。ここで、所定条件は、例えば、画像の最大階調値（画像内の画素の最大階調値等）が所定値又は略所定値になるという条件である。ここで、所定値は、表現可能な画像の階調範囲を考慮して決定される値であり、仮に、表現可能な画像の階調範囲を０〜２５５とすると、例えば２００である。続いて、制御部１３０は、その所定条件を満たしたときの画像に基づいて影補正情報を生成する。続いて、制御部１３０は、取得した撮像パラメータに関する情報と、生成した影補正情報と、Ｓ１０４で決定された第３の照明パターンに関する情報とを含む設定ファイルを、当該サイズに対する設定ファイルとして、記憶部１３３に記憶する。なお、設定ファイルの詳細については、図８を用いて後述する。
【００２８】
続いて、撮像対象物とされ得る読取対象媒体の全サイズを処理対象としたか否かを判定し（Ｓ１０６）、その判定結果がＮｏの場合には、未だ処理対象とされていないサイズを新たな処理対象として、Ｓ１０４へ戻る。
【００２９】
一方、Ｓ１０６の判定結果がＹｅｓの場合には、制御部１３０の制御の下に、補助照明部１２０の複数の光源の全てが消灯して（Ｓ１０７）、設置時の動作が終了する。そして、画像読取装置１００の運用時（以下単に「運用時」という）の動作へ移行する。
【００３０】
運用時の動作では、例えばユーザからの読取指示に応じて、次のような読取時の動作（Ｓ１０８乃至Ｓ１１２）を行う。
【００３１】
まず、制御部１３０は、補助照明部１２０の複数の光源の全てが消灯されている状態で媒体サイズを推定するための処理を行う（Ｓ１０８）。より詳しくは、補助照明部１２０の複数の光源の全てがＳ１０７又は後述のＳ１１２の処理により消灯されている状態で、制御部１３０の制御の下に、画像取得部１１１が、撮像対象物とされた台座４０２上の読取対象媒体を撮像する。そして、制御部１３０は、そのときにイメージリーダ１１０から送信される画像データに係る画像に基づいて、その読取対象媒体のサイズを検出する。この検出は、例えば、その画像の輝度分布に基づいて行われる。
【００３２】
続いて、制御部１３０は、記憶部１３３に記憶されている、撮像対象物とされ得る読取対象媒体のサイズ毎の設定ファイルの中から、Ｓ１０８で検出されたサイズに応じた設定ファイルを選択して読み出す（Ｓ１０９）。なお、Ｓ１０８においてサイズの検出ができなかった場合やサイズの検出が不適切であった場合には、撮像対象物とされ得る読取対象媒体の最大サイズに応じた設定ファイルが選択され読み出される。
【００３３】
続いて、制御部１３０の制御の下に、Ｓ１０９で読み出された設定ファイルに含まれる第３の照明パターンに関する情報に係る照明パターン従って補助照明部１２０の複数の光源の各々が点灯又は消灯する（Ｓ１１０）。
【００３４】
続いて、制御部１３０は、台座４０２上の読取対象媒体を読み取るための処理を行う（Ｓ１１１）。より詳しくは、制御部１３０の制御の下に、Ｓ１０９で読み出された設定ファイルに含まれる撮像パラメータに関する情報に係る撮像パラメータの下で画像取得部１１１が台座４０２上の読取対象媒体を撮像する。そして、制御部１３０は、そのときにイメージリーダ１１０から送信される画像データに係る画像を読取画像として取得する。なお、必要に応じて、この読取画像に対し、更に、Ｓ１０９で読み出された設定ファイルに含まれる影補正情報に従って影補正処理を行ってもよい。
【００３５】
このようにして読取画像が取得されると、制御部１３０の制御の下に、補助照明部１２０の複数の光源の全てが消灯して（Ｓ１１２）、読取時の動作が終了する。そして、次の読取指示が行われるまで、待機状態となる。
【００３６】
なお、読取時の動作で取得された読取画像は、その後、例えば、ＯＣＲ処理による文字認識や印影イメージの重ね合わせによる印鑑照合処理等が行われる。
【００３７】
図４及び図５は、上述の第１の照明パターンの決定方法の一例を説明する図である。なお、本例では、補助照明部１２０が、図２に示した９（＝３×３）個の光源を有するものとして説明を行う。
【００３８】
第１の照明パターンは、図４に示したように、画像取得部１１１が基準媒体２０１の撮像を繰り返し、その間にイメージリーダ１１０から送信される画像データに係る画像が所定条件を満たしたときの当該画像である基準媒体画像２０２を基に決定される。より詳しくは、その基準媒体画像２０２が、補助照明部１２０の９個の光源に対応して９個の画像領域に分割されたときの各画像領域の平均階調値に基づいて決定される。
【００３９】
なお、本例では、図４に示した基準媒体画像２０２において、最上段の３つの画像領域を左から順に画像領域Ｒ１、Ｒ２、Ｒ３とし、中段の３つの画像領域を左から順に画像領域Ｒ４、Ｒ５、Ｒ６とし、最下段の３つの画像領域を左から順に画像領域Ｒ７、Ｒ８、Ｒ９とする。また、図２に示した９個の光源において、最上段の３つの光源を右から順に光源Ｌ１、Ｌ２、Ｌ３とし、中段の３つの光源を右から順に光源Ｌ４、Ｌ５、Ｌ６とし、最下段の３つの光源を右から順に光源Ｌ７、Ｌ８、Ｌ９とする。そして、画像領域Ｒｎが光源Ｌｎに対応するとする（但し、ｎは１から９までの整数）。また、本例では、画像領域Ｒｎの平均階調値をＡｎとする（但し、ｎは１から９までの整数）。ここで、画像領域の平均階調値は、例えば、その画像領域に含まれる画素の階調値を平均したものである。また、画像領域Ｒ１乃至Ｒ９の９つの平均階調値の中で最大のものを最大平均階調値Ａ_ＭＡＸとする。また、画像領域Ｒｎの、平均階調値Ａｎに対する最大平均階調値Ａ_ＭＡＸの比率（Ａ_ＭＡＸ／Ａｎ）をＳｎとする（但し、ｎは１から９までの整数）。
【００４０】
この場合、第１の照明パターンは、平均階調値Ａｎ（但し、ｎは１から９までの整数）が所定値（必要とされる階調値に対応する値）以上であるか否か、平均最大階調値Ａ_ＭＡＸが所定値（必要とされる階調値に対応する値）以上であるか否か、比率Ｓｎ（但し、ｎは１から９までの整数）が所定値（影の許容限度に対応する値）以上であるか否か、の一つ以上を判定した結果等に基づいて決定される。
【００４１】
例えば、図５に示した基準媒体画像２０２ａのように、平均最大階調値Ａ_ＭＡＸが所定値（「必要階調」）以上でない場合には、点線枠で示した画像領域Ｒ１乃至Ｒ９（全ての画像領域）に対応する光源Ｌ１乃至Ｌ９（全ての光源）を点灯させる照明パターンが、第１の照明パターンとして決定される。このように、全体的に低階調な基準媒体画像が得られた場合には、全体的に照度不足と考えられることから、第１の照明パターンは、それを補うために全ての光源を点灯させる照明パターンとなる。
【００４２】
或いは、図５に示した基準媒体画像２０２ｂのように、点線枠で示した画像領域Ｒ１乃至Ｒ３の比率Ｓ１乃至Ｓ３が何れも所定値（「影の許容限度」）以上である場合には、その画像領域Ｒ１乃至Ｒ３に対応する光源Ｌ１乃至Ｌ３のみを点灯させる照明パターンが、第１の照明パターンとして決定される。このように、全体的に低階調ではないものの部分的に比率が大きくなるような基準媒体画像が得られた場合には、全体的に照度不足ではないものの部分的に影が存在すると考えられることから、第１の照明パターンは、その影を無くすために対応する一部の光源のみを点灯させる照明パターンとなる。
【００４３】
図６は、上述の第２の照明パターンの一例を説明する図である。なお、本例では、撮像対照物とされ得る読取対象媒体のサイズを、例えば、ＩＳＯ２１６で定められたＡ５サイズ、Ａ４サイズ、ＪＩＳ規格で定められたＢ６サイズ、Ｂ５サイズ、あるいは免許証サイズとして説明する。また、本例でも、補助照明部１２０が、図２に示した９（＝３×３）個の光源を有するものとして説明を行う。
【００４４】
第２の照明パターンは、上述のとおり、読取対象媒体のサイズに応じて予め決定されているものであり、それは、補助照明部１２０の複数の光源における、当該サイズの読取対象媒体を照明するのに最小限必要な光源に応じて決定されたものである。より詳しくは、第２の照明パターンは、例えば、画像取得部１１１が基準媒体を撮像して得た基準媒体画像が補助照明部１２０の９個の光源に対応して９個の画像領域に分割されたときの、その９個の画像領域の中で、画像取得部１１１が読取対象媒体を撮像して得た読取対象媒体画像と一部又は全部が重複する画像領域に対応する光源のみを点灯させる照明パターンとなる。なお、本例においても、図４及び図５を用いて説明したものと同様に、基準媒体画像の９個の画像領域をＲ１乃至Ｒ９とし、補助照明部１２０の９個の光源をＬ１乃至Ｌ９とし、画像領域Ｒｎが光源Ｌｎに対応する（但し、ｎは１から９までの整数）ものとする。
【００４５】
この場合、図６に示したように、読取対象媒体のサイズがＢ６サイズやＡ５サイズの場合に対する第２の照明パターンは、基準媒体画像の画像領域Ｒ１乃至Ｒ９の中で、その読取対象媒体画像と一部又は全部が重複する画像領域は、点線枠２１１で示す画像領域Ｒ１乃至Ｒ６になるので、その画像領域Ｒ１乃至Ｒ６に対応する光源Ｌ１乃至Ｌ６のみを点灯させる照明パターンとなる。
【００４６】
また、読取対象媒体のサイズがＢ５サイズやＡ４サイズの場合に対する第２の照明パターンは、基準媒体画像の画像領域Ｒ１乃至Ｒ９の中で、その読取対象媒体画像と一部又は全部が重複する画像領域が、点線枠２１２で示す画像領域Ｒ１乃至Ｒ９（全ての画像領域）になるので、その画像領域Ｒ１乃至Ｒ９に対応する光源Ｌ１乃至Ｌ９（全ての光源）を点灯させる照明パターンとなる。
【００４７】
また、読取対象媒体のサイズが免許証サイズの場合に対する第２の照明パターンは、基準媒体画像の画像領域Ｒ１乃至Ｒ９の中で、その読取対象媒体画像と一部又は全部が重複する画像領域が、点線枠２１３で示す画像領域Ｒ１、Ｒ２になるので、その画像領域Ｒ１、Ｒ２に対応する光源Ｌ１、Ｌ２のみを点灯させる照明パターンとなる。
【００４８】
なお、本実施形態に係る画像読取装置１００では、上述のとおり、撮像対象物とされ得る読取対象媒体のサイズ毎の第２の照明パターンに関する情報が記憶部１３３に記憶されるものであるが、例えば、サイズが異なる場合であっても、照明パターンの内容が同じとなる場合には、図６に示した、Ｂ６サイズやＡ５サイズに対する第２の照明パターンや、Ｂ５サイズやＡ４サイズに対する第２の照明パターンのように、異なる複数のサイズに対して１つの第２の照明パターンを設けるようにしてもよい。
【００４９】
図７は、上述の第３の照明パターンの決定方法の一例を説明する図である。
第３の照明パターンは、上述のとおり、第１の照明パターンと第２の照明パターンに基づいて決定されるものであり、例えば、第１の照明パターンによって点灯とされている光源であって且つ第２の照明パターンによっても点灯とされている光源のみを点灯させる照明パターンが、第３の照明パターンとして決定される。
【００５０】
図７に示したように、例えば、第１の照明パターンが図５に示した光源Ｌ１乃至Ｌ３のみを点灯させる照明パターンであり、第２の照明パターンが図６に示したＢ６サイズやＡ５サイズに対する照明パターン（光源Ｌ１乃至Ｌ６のみを点灯させる照明パターン）である場合には、両者の間で共に点灯とされる光源は、光源Ｌ１乃至Ｌ３になるので、その光源Ｌ１乃至Ｌ３のみを点灯させる照明パターンが、第３の照明パターンとして決定される。なお、光源Ｌ１乃至Ｌ３は、点線枠２２１で示す画像領域Ｒ１乃至Ｒ３に対応する光源である。
【００５１】
或いは、例えば、第１の照明パターンが図５に示した光源Ｌ１乃至Ｌ３のみを点灯させる照明パターンであり、第２の照明パターンが図６に示したＢ５サイズやＡ４サイズに対する照明パターン（光源Ｌ１乃至Ｌ９（全ての光源）を点灯させる照明パターン）である場合には、両者の間で共に点灯とされる光源は、光源Ｌ１乃至Ｌ３になるので、その光源Ｌ１乃至Ｌ３のみを点灯させる照明パターンが、第３の照明パターンとして決定される。なお、光源Ｌ１乃至Ｌ３は、点線枠２２２で示す画像領域Ｒ１乃至Ｒ３に対応する光源である。
【００５２】
若しくは、例えば、第１の照明パターンが図５に示した光源Ｌ１乃至Ｌ３のみを点灯させる照明パターンであり、第２の照明パターンが図６に示した免許証サイズに対する照明パターン（光源Ｌ１、Ｌ２のみを点灯させる照明パターン）である場合には、両者の間で共に点灯とされる光源は、光源Ｌ１、Ｌ２になるので、その光源Ｌ１、Ｌ２のみを点灯させる照明パターンが、第３の照明パターンとして決定される。なお、光源Ｌ１、Ｌ２は、点線枠２２３で示す画像領域Ｒ１、Ｒ２に対応する光源である。
【００５３】
図８は、設定ファイルの一例を示す図である。なお、本例でも、補助照明部１２０が、図２に示した９（＝３×３）個の光源を有するものとし、その９個の光源をＬ１乃至Ｌ９として説明を行う。
【００５４】
図８に示したように、各設定ファイルは、対応するサイズに関する情報と、撮像パラメータに関する情報であるカメラ設定情報と、影補正情報と、第３の照明パターンに関する情報である補助照明設定情報とを含む。カメラ設定情報は、露出時間及びゲインアンプ値に関する情報を含む。影補正情報は、読取画像に対する座標毎の影補正量（影を除去するための増幅量）に関する情報を含む。補助照明設定情報は、光源Ｌ１乃至Ｌ９の各々を点灯（「ＯＮ」）又は消灯（「ＯＦＦ」）させるための情報を含む。
【００５５】
なお、図３に示した動作では、上述のとおり、撮像対象物とされ得る読取対象媒体のサイズ毎の設定ファイルが記憶部１３３に記憶されるものであるが、例えば、サイズが異なる場合であっても、そのサイズ以外の内容が同じとなる場合には、図８に示した設定ファイルＡ又は設定ファイルＢのように、異なる複数のサイズに対して１つの設定ファイルを設けるようにしてもよい。
【００５６】
以上、本実施形態に係る画像読取装置１００によれば、設置時の動作により、撮像対象物とされ得る読取対象媒体のサイズ毎に、照度不足を補い且つ影の存在を無くすために最小限必要な光源のみを点灯させる照明パターンが自動で決定されるようになる。そして、運用時における読取時の動作により、読取対象媒体が、そのサイズに応じて選択された照明パターンにより照明されるようになる。従って、設置作業員等は、設置時に、補助照明部１２０の位置や向きを細かく調整する必要はなく、設置作業員等の設置時の負担が軽減する。また、これにより、補助照明部１２０の点灯のし忘れや補助照明部１２０の設置位置や設置方向の判断誤り等といった、設置作業員等の作業ミスも勿論無くすことができる。さらに、最小限必要な光源のみが点灯されるようになるので、無用な電力消費も無くすことができる。
【００５７】
なお、本実施形態に係る画像読取装置１００においては、種々の変形が可能である。
例えば、制御部１３０は、図９に示すハードウェア構成により実現してもよい。この場合、制御部１３０は、ＣＰＵ（Central Processing Unit）３０１、ＲＡＭ（Random Access Memory）３０２、ＲＯＭ（Read Only Memory）３０３、ＨＤＤ（Hard Disk Drive）３０４、通信インタフェース３０５、媒体読取装置３０６、入出力インタフェース３０７を含み、各部がバス３０８を介して接続される。ＣＰＵ３０１は、ＲＯＭ３０３に格納されているプログラムを、ＲＡＭ３０２を介して読み出し実行することによって、画像読取装置１００の全体動作を制御する。ここで、ＲＯＭ３０３に格納されているプログラムは、ＨＤＤ３０４に格納されてもよい。また、ＣＰＵ３０１によって実行されるプログラムは、通信インタフェース３０５を介して、ネットワークに接続される外部装置からＲＡＭ３０２に格納されて、ＣＰＵ３０１によって実行されてもよい。また、ＣＰＵ３０１によって実行されるプログラムは、媒体読取装置３０６にセットされた可搬型記録媒体３０９からＲＡＭ３０２に格納されて、ＣＰＵ３０１によって実行されてもよい。可搬型記録媒体３０９としては、例えば、ＣＤ−ＲＯＭ（Compact Disc Read Only Memory）、フレキシブルディスク、光ディスク、光磁気ディスク、ＤＶＤ（Digital Versatile Disc）、ＵＳＢ（Universal Serial Bus）メモリなど様々な形式の記録媒体を使用することができる。なお、記憶部１３３に記憶される情報は、例えばＨＤＤ３０４に記憶される。また、イメージリーダ１１０、補助照明部１２０は、入出力インタフェース３０７に接続される。また、ディスプレイ装置３１０、キーボードやマウス等の入力装置３１１が更に入出力インタフェース３０７に接続される。なお、補助照明部１２０は、例えば、複数の光源Ｌが接続された入出力インタフェース３２１を含み、その入出力インタフェースが制御部１３０に接続される。
【００５８】
また、例えば、制御部１３０は、ＦＰＧＡ（Field Programmable Gate Array）やＤＳＰ（Digital Signal Processor）等のモジュールを含む構成としてもよい。この場合、制御部１３０は、不揮発性メモリ（例えば、ＥＥＰＲＯＭ（Electrically Erasable and Programmable Read Only Memory）、フラッシュメモリ、フラッシュメモリ型メモリカード等）を含み、それにモジュールのファームウェアが記憶される。ここで、不揮発性メモリに記憶されるファームウェアは、外部装置との間の通信によって書き込まれるようにしてもよい。
【００５９】
以上、本発明の実施の形態を説明したが、本発明は、上述した実施の形態に限定されることなく、本発明の要旨を逸脱しない範囲内で種々の改良・変更が可能である。
【符号の説明】
【００６０】
１００      画像読取装置
１１０      イメージリーダ
１１１      画像取得部
１１２      撮像パラメータ調整部
１２０      補助照明部
１３０      制御部
１３１      画像処理部
１３２      設定選択部
１３３      記憶部
１３４      補助照明調整部
２０１      基準媒体
２０２      基準媒体画像
２１１、２１２、２１３  点線枠
２２１、２２２、２２３  点線枠
３０１      ＣＰＵ
３０２      ＲＡＭ
３０３      ＲＯＭ
３０４      ＨＤＤ
３０５      通信インタフェース
３０６      媒体読取装置
３０７      入出力インタフェース
３０８      バス
３０９      可搬型記録媒体
３１０      ディスプレイ装置
３１１      入力装置
３２１      入出力インタフェース
４０１      撮像部
４０２      台座
４０３      スタンド
５０１、５０２、５０３  画像
【図１】
2015115934.tif 000003
【図３】
2015115934.tif 000004
【図８】
2015115934.tif 000005
【図９】
2015115934.tif 000006
【図１３】
2015115934.tif 000007
【図２】
2015115934.tif 000008
【図４】
2015115934.tif 000009
【図５】
2015115934.tif 000010
【図６】
2015115934.tif 000011
【図７】
2015115934.tif 000012
【図１０】
2015115934.tif 000013
【図１１】
2015115934.tif 000014
【図１２】
2015115934.tif 000015